(57)【要約】【課題】  ネット上に掲載された諸サイトへの入会及び商品購入は、ユーザーにとって、カタログのみの偏った情報だけを得て、不安・懐疑・不信等の問題を解決することなく入会及び商品購入をしており、それらの不安等をできる限り解消して、入会及び商品購入をすることを望んでいる。【解決手段】  本発明は、従来のウェブカメラを利用した１対１の接続チャットの他に、新しいチャットシステム機器を利用して、一度に大勢のユーザーがチャットルーム内の紹介者と接続できるように機能を追加して、サイト入会及び商品購入の必要な情報をユーザーに提供し、併せて、チャットモニター内にカメラによる人物映像の他に広告ができる広告専用の帯状の場所を設けるシステムを内蔵したことを特徴とするチャットシステム機器。【選択図】図１
2010097579.tif 000002
【特許請求の範囲】
【請求項１】
インターネットを装備したデスクトップ型パソコン（６）、ノートブック型パソコン（７）又は携帯電話機（８）からインターネットシステム（１）を設け、該インターネットシステム（１）には、発信機（４）及び受信機（５）を収納したチャットシステム内蔵機器（２）に接続し、該チャットシステム内蔵機器（２）には専用の情報提供システム（３）を接続する事を特徴とするチャット利用による紹介システム。
【請求項２】
発信機（４）及び受信機（５）を収納したチャットシステム内蔵機器（２）には、一度に多数の利用者が接続できる情報提供システム（３）を接続した請求項１記載のチャット利用による紹介システム。
【発明の詳細な説明】
【技術分野】
【０００１】    本発明は、インターネット上における入会登録及び商品購入を、チャットシステム内蔵機器での映像と音声により、利用者が、情報提供システムである人物紹介サイト又は商品提供サイトと直接対話を持ち、安心安全に入会登録及び商品購入が可能になるチャット利用による紹介システムに関するものである。
【背景技術】
【０００２】  従来この種のインターネット上に公開した人物紹介サイトに対して、入会登録する際、サイトとの文書による書面での数回のやり取りを経てようやく登録されるが、相手方の見えない書面のみのやり取りは、情報不足から来る不安や懐疑、不信等を伴ったまま行われているのが実情である。これらを取り除いて安心して登録できることが期待されている。
また、商品の購入に際しては、商品提供サイトのカタログを見て注文をする方法が従来からの方法であるが、カタログで表現できない詳細な取扱いや効用を知らないままに商品を購入している現実である。これらの不安や懐疑、不信又は詳細な商品説明不足を取り除いて、安心して商品の購入が行えることが期待されている現状である。
【発明の開示】
【発明が解決しようとする課題】
【０００３】  上記各問題点を解決するために、本発明のチャット利用による紹介システムは、その主たる目的とする所は、インターネット上における入会登録を、アシスタントを務めるチャットサーバーに接続をして、入会者が、映像と音声により人物紹介サイトとインターネット上で直接会話をして、入会者の不安や懐疑、不信等を取り除いて納得して入会登録できるシステムを提供する。また、商品の購入に際しては、本紹介システムは、上記と同様に、商品購入者が、映像と音声により商品提供サイトとインターネット上で直接会話をして、不安や懐疑、不信又は商品説明不足等を取り除いて納得して商品を購入する事を目的としたものである。
【課題を解決するための手段】
【０００４】  本発明は上記目的を達成するために、利用者がデスクトップ型パソコン、ノートブック型パソコン又は携帯電話機で、インターネットにより、発信機及び受信機を収納したチャットシステム内蔵機器のあるサーバーに接続し、人物紹介サイト又は商品提供サイトと、映像と音声により直接対話を持ち入会登録又は商品購入が出来るものである。
【発明の効果】
【０００５】  従来の入会登録には、相手方が見えないため、情報不足のまま行われているのが実情であった。本発明のチャット利用による紹介システムによれば、チャットシステム内蔵機器を接続することにより、インターネット上に設置された専用チャットルームを介して、人物紹介サイトとの映像と音声による直接対話を持つことができるため、情報不足から来る不安や懐疑、不信等を取り除いて入会することができる効果がある。
商品の購入に際しては、本紹介システムは、上記と同様に、商品提供サイトと映像と音声によるインターネット上で直接対話を持つことができるため、不安や懐疑、不信又は商品説明不足等を取り除いて納得して商品を購入することが出来る効果がある。
更に専用のチャットシステム内蔵機器との接続により、書面によるやり取りに掛かる日数や手間が省けるという効果と、該チャットシステム内蔵機器は一度に多数の利用者との接続が可能なため、待たされないので時間の無駄が無いという効果もある。
【発明を実施するための最良の形態】
【０００６】  以上の様に構成されたチャット利用による紹介システムは、チャットシステム内蔵機器にパソコンと映像装置であるテレビカメラを一体として備付し、該テレビカメラによりチャットルームの室内及び紹介者である担当者をパソコンに映像表示させ、入会希望者がインターネットを通じて該チャットルームに接続して該映像と音声を見聞きし、且つ該入会希望者は該チャットルームの該担当者とインターネット上で直接会話をし、様々な情報を得て、安心をして希望する人物紹介サイトに入会ができる紹介システムである。
また、商品購入に際しても上記と同様にして、様々な商品情報を得て、安心して商品を購入する紹介システムである。
【実施例】
【０００７】  次に、本発明の実施例を図面について説明すると、図１に示すものは、インターネットシステム（１）は、デスクトップ型パソコン（６）、ノートブック型パソコン（７）又は携帯電話機（８）等より構成されている。該インターネットシステム（１）の各々とチャットシステム内蔵機器（２）にインターネットを通じて矢印の如く接続してある。該チャットシステム内蔵機器（２）には、内部に発信機（４）及び受信機（５）が収納されている。
また、多数の情報提供システム（３）よりの情報をインターネットを通じて事前に入手している該チャットシステム内蔵機器（２）より、情報提供システム（３）の入会情報、又は、商品購入の情報を、映像と音声によって点線の矢印の如く得るものである。
図２に示すものは、インターネットシステム（１）からチャットシステム内蔵機器（２）に接続する際のサーバーは、矢印に示す如く、一度に多数の利用者から接続できるようにしたシステムである。符号（９）は利用者、（１０）はチャットルームにおける、情報を直接説明する担当者である。
【図面の簡単な説明】
【０００８】
【図１】本発明のシステムの全体図である。
【図２】同じく本発明のチャットシステム内蔵機器のあるサーバーの基本的なインターネットシステムとの接続概要図である。
【符号の説明】
【０００９】  １          インターネットシステム
２          チャットシステム内蔵機器
３          情報提供システム
４          発信機
５          受信機
６          デスクトップ型パソコン
７          ノートブック型パソコン
８          携帯電話機
９          利用者
１０          担当者
【図１】
2010097579.tif 000003
【図２】
2010097579.tif 000004